(57)【要約】【課題】  送風機室に連通する格子部を後板に有する集塵ケースを下ケースの前端側に設けて、隔壁のない下ケースの製作を容易にした電気掃除機を提供する。【解決手段】  上方に開放する樹脂製の下ケース１７の後部側に上ケース１８を配置して下ケース１７後部側と前記上ケース１８との間に電動送風機が配設される送風機室３８を設けると共に、下ケース１７の前部側を集塵室カバーにより開閉自在にして下ケース１７前部側に集塵室２０を形成した電気掃除機において、底壁３１の周縁に上下に向けて連設された前板３２、後板３３と左右側板３４，３５とを巡らして上方に開口する集塵ケース２４を前記下ケース１７の前端側に配設することにより前記集塵ケース２４内に前記集塵室２０を設けると共に、前記集塵室２０を前記送風機室３８に連通させる格子部４０を前記後板３３に形成してある。【選択図】              図２
2006034762.tif 000002
【特許請求の範囲】
【請求項１】
上方に開放する樹脂製の下ケースの後部側に上ケースを配置して下ケース後部側と前記上ケースとの間に電動送風機が配設される送風機室を設けると共に、下ケースの前部側を集塵室カバーにより開閉自在にして下ケース前部側に集塵室を形成した電気掃除機において、
底壁の周縁に上下に向けて連設された前後板と左右側板とを巡らして上方に開口する集塵ケースを前記下ケースの前端側に配設することにより前記集塵ケース内に前記集塵室を設けると共に、前記集塵室を前記送風機室に連通させる格子部を前記後板に形成したことを特徴とする電気掃除機。
【請求項２】
前記下ケースは上下に延びる位置決め用の複数の第１のボスを周辺部に有すると共に、前記集塵ケースは前記第１のボスにそれぞれ嵌合して下ケースに位置決めされる嵌合穴を有する第２のボスを備えていることを特徴とする請求項１に記載の電気掃除機。
【発明の詳細な説明】
【技術分野】
【０００１】
本発明は、集塵室を送風機室に連通させる格子部を集塵室の後板に設けた電気掃除機に関するものである。
【背景技術】
【０００２】
従来の電気掃除機には、樹脂製の掃除機本体の本体ケースの前部に集塵室を形成し、この集塵室内に紙パックフィルタを配設すると共に、本体ケースの後部側に送風機室を形成し、集塵室に吸込負圧を作用させる電動送風機を送風機室に配設して、電動送風機の吸込負圧により紙パックフィルタに塵埃を捕集させるようにしたものがある。
【０００３】
しかも、掃除機本体の本体ケースとしては、上方に開放する下ケースと、下ケースの後部側を覆う上ケースと、下ケースの前側を開閉可能に覆う集塵室カバー等を備えるものがある。そして、この下ケースの前側の部分と集塵室カバーとの間に集塵室が形成され、下ケースの後部側と上ケースとの間に送風機室が形成されている。
【０００４】
ところで、このような電気掃除機としては、集塵室と送風機室を区画する隔壁を下ケースに一体に形成し、この隔壁に集塵室と電動送風機の吸込側を連通させる格子部を設けたものが知られている。
【０００５】
このような隔壁を設けた下ケースを射出成形に形成する場合、例えば、上金型と下金型とを型締めして溶融樹脂を成型硬化させたのち、上下の金型を型開きすることにより行われている。隔壁には下ケースの前後方向に開口している格子部（通気穴）が設けられているので、この格子部を形成するためのスライド機構を設ける必要があって下ケースの金型が複雑になる問題がある。
【０００６】
そこで、この問題に対処するために格子部を有するフィルタ支持部材を隔壁から独立させて、このフィルタ支持部材を隔壁の嵌合部に上部側から挿入して隔壁に配設することにより下ケースを構成するようにした電気掃除機が知られている（例えば、特許文献１参照）。
【特許文献１】特開平１０−２１１１３７号公報
【発明の開示】
【発明が解決しようとする課題】
【０００７】
しかしながら、下ケースの隔壁にフィルタ支持部材を着脱自在に装着した電気掃除機においては、フィルタ支持部材と嵌合部との間をシールする必要があり、好ましいものではなかった。
【０００８】
また、下ケースに集塵室を設けるために下ケースに隔壁を一体的に形成する構造では、下ケースの金型が複雑になると共に、隔壁に充分な補強が必要となる。しかし、金型の構成上、隔壁を補強できる範囲に限りがある上、隔壁を厚くすると下ケースの形成時にひけ等が発生し易くなって外観を損ねる虞があった。
【０００９】
本発明は、送風機室に連通する格子部が後板に設けられた集塵ケースを下ケースの前部側に配設して、集塵ケース及び隔壁のない下ケースの製作を容易にした電気掃除機を提供することを目的とするものである。
【課題を解決するための手段】
【００１０】
本発明は、上述事情に鑑みなされたものであって、請求項１に記載の発明は、上方に開放する樹脂製の下ケースの後部側に上ケースを配置して下ケース後部側と前記上ケースとの間に電動送風機が配設される送風機室を設けると共に、下ケースの前部側を集塵室カバーにより開閉自在にして下ケース前部側に集塵室を形成した電気掃除機において、底壁の周縁に上下に向けて連設された前後板と左右側板とを巡らして上方に開口する集塵ケースを前記下ケースの前端側に配設することにより前記集塵ケース内に前記集塵室を設けると共に、前記集塵室を前記送風機室に連通させる格子部を前記後板に形成したことを特徴としている。
【発明の効果】
【００１１】
請求項１に係わる発明によれば、紙パックフィルタを収納する集塵室を下ケースとは別部材の集塵ケースにより構成して下ケースの前端側に設けると共に、この集塵ケースの後板に集塵室を送風機室に連通させる格子部を設けたことにより、格子部を通過しない空気が集塵室から送風機室へ漏れる現象及びこれによる電動送風機の弊害を防止することができる。
【００１２】
また、集塵ケースを１つの部品として構成しているので、集塵ケースを作る金型に補強リブが構成し易いと共に、下ケースからは隔壁が省略されていることにより下ケースの金型を構成し易くなって、電気掃除機本体の製造が容易化されると共にコストダウンを実現することができる。
【発明を実施するための最良の形態】
【００１３】
以下、本発明の実施の形態を図面に基づいて説明する。
【００１４】
図１は電気掃除機１０を示している。この電気掃除機１０は樹脂製の本体ケース１１を有する。上記本体ケース１１は、上方に開放する下ケース１７と、この下ケースの後部側上部を覆う上ケース１８と、下ケース１７の前部側上部を覆う開閉自在の集塵室カバー（集塵蓋）１９とを有している。また、本体ケース１１内には、集塵室２０と、この集塵室２０を負圧にする電動送風機２１とが設けられている。
【００１５】
集塵室カバー１９には差込口１２が形成され、この差込口１２には集塵ホース１３の一端に設けられた接続筒体１３ａが接続されている。集塵ホース１３の他端１３ｂに設けられた手元操作管１４には延長管１５が着脱自在に接続されており、この延長管１５の先端部には吸込口体１６が着脱自在に接続されている。上記手元操作管１４には、電源スイッチＳＷが設けられている。
【００１６】
図２（ａ）は、図１に示す電気掃除機１０の集塵室カバー１９を外した状態の本体ケース１１の斜視図を示している。前述の下ケース１７は、下ケース本体２２とこの下ケース本体２２の上に接続されている中ケース２３とから構成されている。
【００１７】
本体ケース１１の前部側には上方に開口している集塵ケース２４が配設されており、この集塵ケース２４の内部には前記の集塵室２０が形成されている。この集塵室２０内には紙パックフィルタ２５（図１参照）が収納されている。
【００１８】
上記紙パックフィルタ２５は、袋状のフィルタ本体２５ａと、このフィルタ本体２５ａの開口に連通している口枠開口を有する方形板状の口枠（図示せず）とを備えている。
【００１９】
図２（ａ）において、集塵ケース２４には集塵室２０の前部側に位置させたＵ字状の口枠ホルダ２６が取り付けられている。この口枠ホルダ２６は、対向する一対の枠保持部２６ａ，２６ｂ及びこの枠保持部２６ａ，２６ｂの下端（前端）を連設する連設部２６ｃを有している。
【００２０】
上記一対の枠保持部２６ａ，２６ｂには、互いに対向し且つ上端に開放する係合溝が設けられている。この係合溝に上記口枠の両側縁部を挿入することにより紙パックフィルタ２５は口枠ホルダ２６に着脱自在に装着される。
【００２１】
また、この口枠ホルダ２６の一対の枠保持部２６ａ，２６ｂ間には、図１の集塵室カバー１９の上面側に設けられたホース差込口１２が位置させられている。上記口枠ホルダ２６の連設部２６ｃは、集塵ケース２４の前端部の両側に設けられた左右一対の支持部材２７，２８に支軸２９より回動自在に支持されている。なお、口枠ホルダ２６は図示しないバネの弾力により上記ホース差込口側に回動付勢されている。
【００２２】
図３は、図２（ａ）における口枠ホルダ２６を取り外した状態の本体ケース１１を示している。
【００２３】
図４に示す集塵ケース２４は、図５に示す下ケース１７（図２（ａ）参照）の下ケース本体２２から独立した１つの部品からなっている。
【００２４】
図４において、集塵ケース２４は合成樹脂製の部品からなっている。この集塵ケース２４は、底壁３１と、前板３２、後板３３、側板３４、側板３５を有している。
【００２５】
そして、前板３２及び後板３３と左右の側板３４，３５は、集塵室２０を形成するように連設されていると共に、底壁３１の周縁から上方に向けて連設されている。この集塵ケース２４には、上方に開口する開口部３０が形成されている。
【００２６】
上記前後板３２，３３及び左右の側板３４，３５には複数のリブ３６がそれぞれ一体的に形成されている。また、図５に示す下ケース本体２２の底板２２ａの前後には、図４の集塵ケース２４の底壁３１を支持するための複数の突部３７がそれぞれ一体的に設けられている。
【００２７】
図２（ａ）、図３及び図４において、集塵ケース２４の後板３３は、本体ケース１１の前部側の集塵室２０と電動送風機２１（図１参照）が収納されている送風機室３８（図２参照）とを区画させる隔壁として機能している。
【００２８】
この後板３３には、集塵ケース２４の集塵室２０を送風機室３８に連通させるための通気穴３９が設けられており、この通気穴３９には格子部４０が配設されている。図２（ｂ）において、格子部４０の左右の前部側には一対のフィルタ保持部材４１，４２がそれぞれ配設されている。
【００２９】
そして、図２（ｂ）に示すように、後板３３の格子部４０の前部には２次フィルタ４３が配設されていて上記のフィルタ保持部材４１，４２により保持されている。
【００３０】
さらに、前記の送風機室３８は本体ケース１１の後部側とこれを覆う上ケース１８と集塵ケース２４の後板３３により形成されているので、従来使用されていた下ケース本体２２と一体の隔壁を不必要とすることができる。
【００３１】
すなわち、集塵ケース２４の後板３３は、集塵ケース２４を構成する壁板の一部として機能すると共に、集塵室２０と送風機室３８とを区画する隔壁として兼用しているので、下ケース本体２２と一体の隔壁を省略することができる。
【００３２】
これにより、本体ケース１１の下ケース本体２２を製作するための金型が単純化されて金型のコストダウン、ひいては電気掃除機のコストダウンを図ることができる。
【００３３】
次に、本体ケース１１の下ケース本体２２に対する集塵ケース２４の取り付け構造について説明する。
【００３４】
図６〜図８は集塵ケース２４の取付構造の概念を示す概略図である。
【００３５】
図５、図７及び図８（ａ）に示すように、下ケース本体２２の底板２２ａの左右には中央の位置において位置決め用の第１のボス４５が一体的に設けられている。
【００３６】
図６において、集塵ケース２４の両側板３４，３５の外面には、中間部の位置において筒状の第２のボス４６が一体的に形成されており、この第２のボス４６には図７に示すように嵌合穴４７が設けられている。
【００３７】
図８（ａ）は集塵ケース２４の第２のボス４６と下ケース本体２２の第１のボス４５との嵌合状態を示し、図８（ｂ）は集塵ケース２４の第２のボス４６の斜視図を示している。
【００３８】
集塵ケース２４の第２のボス４６を下ケース本体２２の第１のボス４５に挿入させることで集塵ケース２４は下ケース本体２２の所定の位置に位置決めされる。
【００３９】
図９は本体ケース１１の集塵ケース２４部の断面図を示している。下ケース１７の中ケース２３は接合部５０において下ケース本体２２に接合される。さらに、中ケース２３の上部は係止部５１において集塵ケース２４の上部を係止して集塵ケース２４を下ケース本体２２に固定する。
【００４０】
図１０は集塵ケース２４の上記第１のボス４５及び第２のボス４６の位置における断面図、図１１は集塵ケース２４のリブ３６の位置における断面図をそれぞれ示している。図１０及び図１１において、中ケース２３の上部には下向きの係止片５２が形成され、また集塵ケース２４の上部には上記係止片５２により押圧される段部５３が形成されている。
【００４１】
本体ケース１１に対する集塵ケース２４の取り付けは次のようにして行われる。すなわち、集塵ケース２４を上記のように第１のボス４５及び第２のボス４６により位置決めして下ケース本体２２上に載置したのち中ケース２３を下ケース本体２２の上に接合される。
【００４２】
次に、中ケース２３の前部を図２及び図３に示すようにネジ５５により下ケース本体２２に固定し、中ケース２３の後部も図示しないネジにより下ケース本体２２に固定することにより、下ケース本体２２に対する集塵ケース２４及び中ケース２３の固定が行われる。
【００４３】
このように、集塵ケース２４に対して第２のボス４６（図４、図６〜図８、図１０参照）を設けることにより、下ケース本体２２に対する集塵ケース２４の位置決めができると共に、集塵ケース２４の両側板３４，３５を補強することができる。
【００４４】
以上説明した発明の実施の形態の電気掃除機（１０）は、上方に開放する樹脂製の下ケース（１７）の後部側に上ケース（１８）を配置して下ケース（１７）後部側と前記上ケース（１８）との間に電動送風機（２１）が配設される送風機室（３８）を設けると共に、下ケース（１７）の前部側を集塵室カバー（１９）により開閉自在にして下ケース（１７）前部側に集塵室（２０）を形成した電気掃除機（１０）において、底壁（３１）の周縁に上下に向けて連設された前後板（３２，３３）と左右側板（３４，３５）とを巡らして上方に開口する集塵ケース（２４）を前記下ケース（１７）の前端側に配設することにより前記集塵ケース（２４）内に前記集塵室（２０）を設けると共に、前記集塵室（２０）を前記送風機室（３８）に連通させる格子部（４０）を前記後板（３３）に形成してある。
【００４５】
この構成によれば、紙パックフィルタ（２５）を収納する集塵室（２０）を下ケース（１７）とは別部材の集塵ケース（２４）により構成して下ケース（１７）の前端側に設けると共に、この集塵ケース（２４）の後板（３３）に集塵室（２４）を送風機室（３８）に連通させる格子部（４０）を設けたことにより、フィルタ支持部材を着脱自在に嵌合した隔壁に見られるフィルタ支持部材と隔壁の嵌合部との隙間がなくなって、この隙間を介して集塵室（２４）から送風機室（３８）へ空気が漏れる現象、及びこれによる電動送風機（２１）の弊害を防止することができる。
【００４６】
また、集塵ケース（２４）を１つの部品として構成しているので、集塵ケース（２４）を作る金型に補強リブが構成し易いと共に、下ケース（１７）からは隔壁が省略されていることにより下ケース（１７）の金型が構成し易くなって、電気掃除機本体（１１）の製造が容易化されると共にコストダウンを実現することができる。
【００４７】
また、この発明の実施の形態の電気掃除機は、前記下ケース（１７）は上下に延びる位置決め用の複数の第１のボス（４５）を周辺部に有すると共に、前記集塵ケース（２４）は前記第１のボス（４５）にそれぞれ嵌合して下ケース（１７）に位置決めされる嵌合穴（４７）を有する第２のボス（４６）を備えている。
【００４８】
この構成によれば、下ケース（１７）に第１のボス（４５）を設け、集塵ケース２４には嵌合穴（４７）を有する第２のボス（４６）を設けたので、集塵ケース（２４）の第２のボス（４７）を、下ケース（１７）の第１のボス（４５）に嵌合させることで下ケース（１７）に対する集塵ケース（２４）の位置決めを容易に行うことができると共に、さらに第２のボス（４６）により集塵ケース（２４）の強度を高めることができる。
【図面の簡単な説明】
【００４９】
【図１】本発明の実施の形態に係わる電気掃除機の斜視図である。
【図２】集塵室部を示す電気掃除機の斜視図である。
【図３】図２における口枠ホルダを除いた集塵室を示す電気掃除機の斜視図である。
【図４】集塵ケースの斜視図である。
【図５】本体ケースの下ケース本体の斜視図である。
【図６】集塵ケースの概略を示す横断平面図である。
【図７】図６におけるＡ−Ａ線断面矢視図である。
【図８】（ａ）は集塵ケースの第２のボス及び下ケース本体部を示す斜視図、（ｂ）は集塵ケースの第２のボス及びリブを斜め下方から見た斜視図である。
【図９】本体ケースの集塵ケース部を示す斜視図である。
【図１０】集塵ケースの第２のボス部の位置における縦断正面図である。
【図１１】集塵ケースのリブの位置における縦断正面図である。
【符号の説明】
【００５０】
１０            電気掃除機
１７            下ケース
１８            上ケース
１９            集塵室カバー
２０            集塵室
２１            電動送風機
２４            集塵ケース
３１            集塵ケースの底壁
３２            集塵ケースの前板
３３            集塵ケースの後板
３４，３５      集塵ケースの側板
３８            送風機室
４０            格子部
４５            第１のボス
４６            第２のボス
【図１】
2006034762.tif 000003
【図２】
2006034762.tif 000004
【図３】
2006034762.tif 000005
【図４】
2006034762.tif 000006
【図５】
2006034762.tif 000007
【図６】
2006034762.tif 000008
【図７】
2006034762.tif 000009
【図８】
2006034762.tif 000010
【図９】
2006034762.tif 000011
【図１０】
2006034762.tif 000012
【図１１】
2006034762.tif 000013